(57)【要約】【課題】本考案は、キーホルド機能、発光機能、非常時等における瞬時の発音機能を備えた多機能キーホルダーを提供する。【解決手段】本考案の多機能キーホルダーは、キー保持用の長穴３を有するカバーケース２と、カバーケース２により覆われる内部ケース１０と、カバーケース２内に形成されるキー収納部と、内部ケース１０に収納した発音体、発光部と、内部ケース１０内に設けた発音体を動作させる押圧型のスイッチ群と、発光部を動作させるスライド型のスイッチと、カバーケース２の外面に表出させた発音体を動作させる押圧スイッチ操作部群と、長穴３に装着するキー取付具９１とカバーケース２との間に相対的な引離力が作用するとき、押圧型のスイッチ群のうちの一つを動作させる異常時動作機構部８０と、カバーケース２の外面に表出させたスライド型のスイッチの操作部とを有するものである。【選択図】図４
0003108317.tif 000002
【実用新案登録請求の範囲】
【請求項１】
キー保持用の穴を有するカバーケースと、
このカバーケース内に設けたキー収納用のキー収納部と、
前記カバーケースに収納した発音体及び発光部を外部に向けて表出させた発光部と、
前記カバーケース内に設けた前記発音体、発光部を動作させるスイッチ群と、
前記カバーケースの外面に表出させた前記発音体、発光部を動作させるスイッチ群用のスイッチ操作部群と、
を有することを特徴とする多機能キーホルダー。
【請求項２】
キー保持用の穴を有する開閉可能なカバーケースと、
前記カバーケースと一体化されるとともに、カバーケース閉状態でこのカバーケースにより覆われる一部が開閉可能な内部ケースと、
カバーケース閉状態でこのカバーケース内に形成されるキー収納用のキー収納部と、
前記内部ケースに収納した発音体及び発光部を外部に向けて表出させた発光部と、
前記内部ケース内に設けた前記発音体、発光部を動作させるスイッチ群と、
前記カバーケースの外面に表出させた前記スイッチ群用のスイッチ操作部群と、
を有することを特徴とする多機能キーホルダー。
【請求項３】
キー保持用の穴を有する開閉可能なカバーケースと、
前記カバーケースと一体化されるとともに、カバーケース閉状態でこのカバーケースにより覆われる一部が開閉可能な内部ケースと、
カバーケース閉状態でこのカバーケース内に形成されるキー収納用のキー収納部と、
前記内部ケースに収納した発音体及び前記内部ケースに収納した発光部を外部に向けて表出させた発光部と、
前記内部ケース内に設けた前記発音体を動作させる押圧型のスイッチ群と、
前記内部ケース内に設けた発光部を動作させるスライド型のスイッチと、
前記カバーケースの外面に表出させた前記発音体を動作させる押圧型のスイッチ群用のスイッチ操作部群と、
前記カバーケースの外面に表出させた前記スライド型のスイッチの操作部と、
を有することを特徴とする多機能キーホルダー。
【請求項４】
キー保持用の穴を有する開閉可能なカバーケースと、
前記カバーケースと一体化されるとともに、カバーケース閉状態でこのカバーケースにより覆われる一部が開閉可能な内部ケースと、
カバーケース閉状態でこのカバーケース内に形成されるキー収納用のキー収納部と、
前記内部ケースに収納した発音体及び前記内部ケースに収納した発光部を外部に向けて表出させた発光部と、
前記内部ケース内に設けた前記発音体を動作させる押圧型のスイッチ群と、
前記内部ケース内に設けた発光部を動作させるスライド型のスイッチと、
前記カバーケースの外面に表出させた前記発音体を動作させる押圧型のスイッチ群用の押圧スイッチ操作部群と、
前記キー保持用の穴に装着するキー取り付け用のキー取付具とカバーケースとの間に相対的な引離力が作用するとき、前記押圧型のスイッチ群のうちの一つを動作させる異常時動作機構部と、
前記カバーケースの外面に表出させた前記スライド型のスイッチの操作部と、
を有することを特徴とする多機能キーホルダー。
【請求項５】
キー保持用の穴を有する開閉可能なカバーケースと、
前記カバーケースと一体化されるとともに、カバーケース閉状態でこのカバーケースにより覆われる一部が開閉可能な内部ケースと、
カバーケース閉状態でこのカバーケース内に形成されるキー収納用のキー収納部と、
前記内部ケースに収納した発音体及び前記内部ケースに収納した発光部を外部に向けて表出させた発光部と、
前記内部ケースにおける前記キー収納部とは反対側の壁面側に設けた前記発音体を動作させる２個の押圧型のスイッチ、前記内部ケースにおける背面側の壁面に設けた前記発音体を動作させる４個の押圧型のスイッチ及び前記内部ケースにおける前記キー収納部側の壁面に設けた押圧型のスイッチからなる押圧型のスイッチ群と、
前記内部ケース内に設けた発光部を動作させるスライド型のスイッチと、
前記カバーケースにおける前記キー収納部とは反対側の壁面に表出させた前記発音体を動作させる２個の押圧型のスイッチ用の押圧スイッチ操作部及び前記カバーケースにおける背面側に表出させた前記４個の押圧型のスイッチ用の平板押圧スイッチ操作部と、
前記カバーケースにおけるキー収納部側の壁面に設けた押圧型のスイッチを、前記キー保持用の穴に装着するキー取り付け用のキー取付具とカバーケースとの間に相対的な引離力が作用するとき動作させる異常時動作機構部と、
前記カバーケースの外面に表出させた前記スライド型のスイッチ用の操作部と、
を有することを特徴とする多機能キーホルダー。
【請求項６】
前記カバーケースは、携帯電話機のホルダー形態に形成したものである請求項１乃至５のいずれかに記載の多機能キーホルダー。
【考案の詳細な説明】
【技術分野】
【０００１】
本考案は、多機能キーホルダーに関し、詳しくは、キーホルド機能の他に発光機能、更には非常時等における発音機能を備えた多機能キーホルダーに関し、携帯電話機のホルダーとしても用いることができる形態としたキーホルダーに関するものである。
【背景技術】
【０００２】
従来、家屋、店舗等の出入口の扉に設けた鍵の施錠、解錠等を行うキーを保持するキーホルダーとして種々のものが提案され実用化されている。
【０００３】
しかし、従来のキーホルダーは、複数のキーを皮革等で形成したカバーケースに単に収納するだけのもの、カバーケースとペンシルライト等を組み合わせたもの、小銭入れとキー保持機構を組み合わせたもの等が通常であり、防犯機能という視点から見れば満足できる機能を有するものが存在しないのが実情である。
【０００４】
一方、防犯機能を備えた用具としては、防犯ブザーが実用化されているが、この防犯ブザーの場合、携帯可能なケース内にスイッチ操作により発音するブザー等を内蔵し、非常時に発音させて防犯機能を発揮させるよう構成したものである。
【０００５】
しかし、このような防犯ブザーの場合、通常ポケットやバック等に入れて持ち運ぶことが多く、盗難事件、傷害事件、遭難等の発生時をはじめとして所持者の予期せぬ緊急事態に遭遇した時とっさに防犯ブザーをポケットやバック等から取り出し、スイッチ操作して発音させることは容易ではなく、緊急時における防犯対策としては必ずしも十分ではない。
【０００６】
また、キーホルダーと防犯ブザーとは個別の用具であるため、これらを個別に所持し、持ち運ばなければならないという煩雑さもある。
【０００７】
特許文献１には、多機能型のキーホルダーとして、キーホルダー機能、ポケベル機能、利用者の居場所を通信できるＧＰＳ機能を組み合わせた電子ベルキーホルダーが提案されている。
【０００８】
しかし、この特許文献１の電子ベルキーホルダーの場合も、利用者の居場所を把握できるものの防犯機能という視点から見れば異常事態発生等のようなとっさの場合に対応できるものではない、
【０００９】
特許文献２には、キーホルダー機能の他に地面等への落下時の衝撃を検出するセンサー、スピーカを備え、落下時に警告音を発するようにした衝撃感知警報キーホルダーが提案されている。
【００１０】
しかし、この特許文献２Ｋキーホルダーの場合も、地面等への落下という状態が発生しなければ警告音を発することができず、緊急時における防犯対策としては必ずしも十分ではない。
【特許文献１】特開２００４−２４６８４６号公報
【特許文献２】特開２０００−３２５２２３号公報
【考案の開示】
【考案が解決しようとする課題】
【００１１】
解決しようとする問題点は、キーホルド機能はもちろんのこと、所持者の居場所を知らせるために周囲を照明できる発光機能、更には非常時等における瞬時の発音機能を備え、盗難事件、傷害事件、遭難等の非常事態における優れた防犯機能をも発揮し得る多機能キーホルダーが存在しない点である。
【課題を解決するための手段】
【００１２】
本考案の多機能キーホルダーは、キー保持用の穴を有するカバーケースと、このカバーケース内に設けたキー収納用のキー収納部と、前記カバーケースに収納した発音体及び発光部を外部に向けて表出させた発光部と、前記カバーケース内に設けた前記発音体、発光部を動作させるスイッチ群と、前記カバーケースの外面に表出させた前記発音体、発光部を動作させるスイッチ群用のスイッチ操作部群と、を有することを最も主要な特徴とする。
【考案の効果】
【００１３】
本考案によれば、以下の効果を奏する。
請求項１、２記載の考案によれば、キーホルド機能、キー収納機能はもちろんのこと、カバーケースの外面に表出させたスイッチ操作部群を操作することにより、発音体又は発光部が動作するので、非常時等における発音機能、所持者の居場所を知らせるために周囲を照明できる発光機能をも発揮する多機能なキーホルダーを提供できる。
【００１４】
請求項３記載の考案によれば、キーホルド機能、キー収納機能はもちろんのこと、カバーケースと一体化した内部ケースを備え、前記内部ケースに発音体、発光部を収納した構成で、カバーケースの外面に表出させた押圧型のスイッチ操作部群、スライド型のスイッチの操作部を各々操作することで、発音体又は発光部を動作させることができ、非常時等における発音機能、所持者の居場所を知らせるために周囲を照明できる発光機能をも発揮する多機能なキーホルダーを提供できる。
【００１５】
請求項４記載の考案によれば、キーホルド機能、キー収納機能はもちろんのこと、カバーケースと一体化した内部ケースを備え、前記内部ケースに発音体、発光部を収納した構成で、カバーケースの外面に表出させた押圧型のスイッチ操作部群、スライド型のスイッチの操作部を各々操作することで、発音体又は発光部を動作させることができ、非常時等における発音機能、所持者の居場所を知らせるために周囲を照明できる発光機能をも発揮摺る。更にキー取付具とカバーケースとの間に相対的な引離力が作用するとき、前記押圧型のスイッチ群のうちの一つを動作させる異常時動作機構部を備えているので、鍵穴にキーを差し込んだままカバーケースを引っ張ることで、発音体を鳴動させることができ、異常事態発生時に瞬時に発音体を鳴動させるとともに、所持者の居場所を知らせるために周囲を照明できる発光機能をもって防犯機能を高めることができる。
【００１６】
請求項５記載の考案によれば、キーホルド機能、キー収納機能はもちろんのこと、２個の押圧型のスイッチ用の押圧スイッチ操作部、４個の押圧型のスイッチ用の平板押圧スイッチ操作部を操作することで発音体を操作性良く鳴動させたり、鍵穴にキーを差し込んだままカバーケースを引っ張ることで、発音体を鳴動させることができ、異常事態発生時に瞬時に発音体を鳴動させるとともに、所持者の居場所を知らせるために周囲を照明できる発光機能をもって防犯機能を高めることができる。更にスライド型のスイッチ用の操作部を操作することで、発音体を鳴動させ、同時に発光部を点灯させて周囲を照明することもできる。
請求項６記載の考案によれば、請求項１乃至５に記載の多機能キーホルダーの前記カバーケースを携帯電話機のホルダー形態に形成したので、前記請求項１乃至５に記載の多機能キーホルダーの効果を発揮しつつこれを携帯電話機のホルダーとして使用できる。
【考案を実施するための最良の形態】
【００１７】
本考案は、キーホルド機能に加えて、所持者の居場所を知らせるために周囲を照明できる発光機能、更には緊急非常事態の発生時等における瞬時の発音機能を備え、盗難事件、傷害事件、遭難等の緊急非常事態の発生時における優れた防犯機能をも発揮し得る多機能キーホルダーを提供するという目的を、キー保持用の穴を有する開閉可能なカバーケースと、前記カバーケースと一体化されるとともに、カバーケース閉状態でこのカバーケースにより覆われる一部が開閉可能な内部ケースと、カバーケース閉状態でこのカバーケース内に形成されるキー収納用のキー収納部と、前記内部ケースに収納した発音体及び前記内部ケースに収納した発光部を外部に向けて表出させた発光部と、前記内部ケース内に設けた前記発音体を動作させる押圧型のスイッチ群と、前記内部ケース内に設けた発光部を動作させるスライド型のスイッチと、前記カバーケースの外面に表出させた前記発音体を動作させる押圧型のスイッチ群用の押圧スイッチ操作部群と、前記キー保持用の穴に装着するキー取り付け用のキー取付具とカバーケースとの間に相対的な引離力が作用するとき、前記押圧型のスイッチ群のうちの一つを動作させる異常時動作機構部と、前記カバーケースの外面に表出させた前記スライド型のスイッチの操作部と、を有する構成により実現した。
【実施例】
【００１８】
以下に、本考案の実施例を詳細に説明する。
まず、図１乃至図４を参照して本実施例の多機能キーホルダー１の全体構成について説明する。
本実施例の多機能キーホルダー１は、例えば皮革材により形成したキー保持用の長穴３を有するとともに、開閉可能で、且つ、図１に示す閉状態では角筒状を呈するカバーケース２と、このカバーケース２と接着又はリベット止等で一体化されるとともに、前記カバーケース２の閉状態でこのカバーケース２により覆われる一部が開閉可能な例えば皮革材により形成した角筒状を呈する内部ケース１０と、前記カバーケース２の閉状態でこのカバーケース２内の内部ケース１０の隣りに形成されるキー収納用の空間であるキー収納部１１とを有している。
【００１９】
前記カバーケース２は、図１乃至図４に示すように、閉状態で表側に位置する表片２ａと、長穴３を上部に設けた背面片２ｂと、表片２ａ、背面片２ｂを連結する側面片２ｃ、２ｄと、側面片２ｄから表片２ａ側から突出形成した受片２ｅとを有し、前記表片２ａの裏面と受片２ｅの表面とにホック突部４ａ、ホック凹部４ｂを取り付けて、これらホック突部４ａ、ホック凹部４ｂの嵌着、嵌着解除により図１に示す閉状態、図４に示す開状態の両状態をとり得るように構成している。
前記カバーケース２でもって携帯電話機のホルダー形態（図示せず）として用いるようにして実施しても良い。
【００２０】
前記内部ケース１０には、図５、図６、図７に示すように、例えばブザー音を発する発音体２１（ブザー音を発する面に多数の小孔を形成している）、可視光を発する発光部３１、電池４１及び点灯制御回路４２を搭載した回路ユニット４０、発音体２１を動作させる合計７個の押圧型のスイッチ６０ａ乃至６０ｇからなる押圧型のスイッチ群、発光部３１（周辺を照らす作用を一層発揮できるようにライト形態に形成している）を動作させるスライド型のスイッチ７０を収納している。
【００２１】
合計７個の押圧型のスイッチ６０ａ乃至６０ｇのうち、４個の押圧型のスイッチ６０ａ乃至６０ｄは、図７に示すように、前記内部ケース１０の背面側に配置し、これらのスイッチ６０ａ乃至６０ｄの各押圧子６１ａ乃至６１ｄを前記内部ケース１０の背面側に設けた長穴状の抜穴６２から前記背面片２ｂ側に臨ませている。
更に、前記発光部３１を動作させるスライド型のスイッチ７０は、図７に示すように、前記内部ケース１０の背面側に配置し、このスイッチ７０のスライド操作片７１を、内部ケース１０の背面側に設けた長穴６３から前記背面片２ｂ側に臨ませている。
【００２２】
また、合計７個の押圧型のスイッチ６０ａ乃至６０ｇのうち、２個の押圧型のスイッチ６０ｅ、６０ｆは、図６に示すように、前記内部ケース１０の前記カバーケース２における側面片２ｄと接触させる側面側に配置し、これらのスイッチ６０ｅ、６０ｆの各押圧子６１ｅ、６１ｆをこの側面側に設けた２個の丸孔６３ｂ、６３ｃから前記側面片２ｄ側に臨ませている。
【００２３】
合計７個の押圧型のスイッチ６０ａ乃至６０ｇのうち、押圧型のスイッチ６０ｇは、図５に示すように、前記内部ケース１０における前記キー収納部１１側に配置し、詳細は後述する異常時動作機構部８０によりオン、オフ動作させるようになっている。
【００２４】
前記カバーケース２は、図１乃至図４に示すように、閉状態で表側に位置する表片２ａと、長穴３を上部に設けた背面片２ｂと、表片２ａ、背面片２ｂを連結する側面片２ｃ、２ｄと、側面片２ｄから表片２ａ側から突出形成した受片２ｅとを有し、前記表片２ａの裏面と受片２ｅの表面とにホック突部４ａ、ホック凹部４ｂを取り付けて、これらホック突部４ａ、ホック凹部４ｂの嵌着、嵌着解除により図１に示す閉状態、図４に示す開状態の両状態をとり得るように構成している。
【００２５】
前記カバーケース２の背面片２ｂには、図２に示すように、前記スイッチ６０ａ乃至６０ｄの各押圧子６１ａ乃至６１ｄを選択的に又は複数同時に操作するための平板押圧スイッチ操作部である平板状の例えば硬質で弾力性を有するゴム板等からなる弾性板９０を背面片２ｂの一部を切除してその部分に添設している。
【００２６】
前記カバーケース２の側面片２ｄには、図３に示すように、前記スイッチ６０ｅ、６０ｆの各押圧子６１ｅ、６１ｆを表出させるための２個の丸孔２ｆ、２ｇを設け、押圧スイッチ操作部として機能させるようにしている。２個の丸孔２ｆ、２ｇに各々円形のゴム板等を貼り付けて押圧スイッチ操作部とすることもできる。
【００２７】
更に、前記背面片２ｂの前記弾性板９０の上部には、図２に示すように、前記スイッチ７０のスライド操作片７１をスライド操作するための操作部であるスライド長穴２ｈを設けている。
【００２８】
次に、前記異常時動作機構部８０について、図５、図１０を参照して説明する。この異常時動作機構部８０は、図１０に示すように、前記背面片２ｂの長穴３の近傍から前記スイッチ６０ｇに至る領域に配置され、前記キー保持用の長穴３に装着するキー１００の取り付け用の例えば金属製で環状のキー取付具９１に一端を、前記スイッチ６０ｇの押圧子６１ｇの近傍に回動可能に配置した回動板８１に他端を連結した例えばピアノ線等からなる力伝達部材８２と、この力伝達部材８２を摺動可能に包囲する状態で前記背面片２ｂに固着した力伝達部材保持具８３と、前記回動板８１を常時は前記押圧子６１ｇから離れる方向に付勢するバネ８４とを具備している。
前記異常時動作機構部８０は、図１０に示すように、例えば、キー取付具９１に装着されているキーを建物入口の鍵穴に差し込んだ状態で、キーホルダーが強く引かれることによって、発音体２１を鳴動させるように構成しているので、通常は故意にキー取付具９１又はキーホルダーの相互を離反させるような状態で強く引かない限り誤作動しないようになっている。
【００２９】
なお、前記スイッチ６０ｇ、回動板８１、バネ８４は前記内部ケース１０内に固定配置した支持板８５上に支持され、また、回動板８１は支持軸８６により支持板８５上において図１０に示す矢印方向に回動可能に支持している。
従って、前記キー取付具９１とカバーケース２との間に相対的な引離力が作用するとき、前記力伝達部材８２が引張られて前記回動板８１をバネ８４の付勢力に抗して回動させ、回動板８１により前記スイッチ６０ｇの押圧子６１ｇを押圧してオンさせ、これにより、前記発音体２１を鳴動させると同時に、発光部３１を点灯させて周囲を照明できるように構成している。
【００３０】
次に、前記内部ケース１０の一部の開閉構造について図８、図９を参照して説明する。
前記内部ケース１０におけるキー収納部１１側の側面には、図９に示すように、３個の互いに分離して内部ケース１０の側方に展開可能な第１乃至第３の展開片１２ａ乃至１２ｃ及びこれらに各々連なる第１乃至第３の折込片１３ａ乃至１３ｃが形成され、これらにより、前記内部ケース１０の前記キー収納部１１側の側面を開口可能としている。また、第１乃至第３の展開片１２ａ乃至１２ｃは、皮革材により形成した長方形状の蓋片１４により相互に連結状態になり、前記キー収納部１１側の側面を閉塞するようになっている。
【００３１】
すなわち、蓋片１４に所定の間隔で設けた例えば３個のマイナスネジ１５ａ乃至１５ｃを第１乃至第３の展開片１２ａ乃至１２ｃの外面側に締着し、第１乃至第３の展開片１２ａ乃至１２ｃ相互に連結するとともに第１乃至第３の折込片１３ａ乃至１３ｃを各々内部ケース１０内に折り込むことで、図８に示すように前記内部ケース１０におけるキー収納部１１側の側面を閉塞するようになっている。なお、前記第１の展開片１２ａ及び第１の折込片１３ａには、前記力伝達部材８２及び力伝達部材保持具８３を挿通させるための切欠部１６を設けている。
【００３２】
上述したような内部ケース１０における開閉構造により、この内部ケース１０内に収納した発音体２１、発光部３１等の点検や、電池４１の電池交換等を可能としている。
【００３３】
次に、図１１を参照して本実施例の電気回路系について説明する。
この電気回路系は、前記点灯制御回路４２に対して、７個のスイッチ６０ａ乃至６０ｇの並列回路を接続し、スイッチ６０ａ乃至６０ｇのうちのいずれかの（又は複数同時の）オン動作で前記発音体２１を鳴動させると同時に、発光部３１を点灯させて周囲を照明できるように構成している。前記押圧型のスイッチ６０ａ等は、誤作動を防ぐために、その押圧時、指先にある程度強く力を加えることで発音体２１を鳴動させるように構成している。
【００３４】
また、前記点灯制御回路４２に対して、スイッチ７０を接続し、スライド操作片７１のスライド操作によるスイッチ７０のオン動作で前記発光部３１を発光させ、多機能キーホルダー１の周囲の照明を可能としている。
【００３５】
上述した構成の多機能キーホルダー１によれば、キー取付具９１に取り付けたキー１００のキーホルド機能を発揮させることができ、また、キー収納部１１内にキー１００を収納して保管、持ち運びを行うことができる。
【００３６】
また、前記スライド操作片７１のスライド操作によってスイッチ７０をオン動作させ前記発光部３１を発光させることで、夜間等においてキー１００を玄関扉の鍵穴に差し込む際の便宜を図ることができる。
【００３７】
更に、盗難事件、傷害事件、遭難等の発生時をはじめとして所持者の予期せぬ緊急事態に遭遇した異常事態において、前記カバーケース２の外部から押圧型のスイッチ６０ａ乃至６０ｆのいずれかを押圧し、前記発音体２１を鳴動させることで、優れた防犯機能を発揮させることができる。
【００３８】
特に、前記カバーケース２の背面片２ｂに平板状のゴム等からなる弾性板９０を配置し、弾性板９０により前記スイッチ６０ａ乃至６０ｄの各押圧子６１ａ乃至６１ｄを選択的に又は複数同時に押圧して前記発音体２１を鳴動させるようにしているので、操作性よく、且つ、迅速に前記発音体２１を鳴動させると同時に、発光部３１を点灯させて周囲を照明することで、優れた防犯機能を発揮させることができる。
【００３９】
更に、例えば前記キー１００を玄関扉の鍵穴に差し込んだ状態において、異常事態に遭遇したような場合には、キー１００を玄関扉の鍵穴に差し込んだままカバーケース２を手前に引く。
【００４０】
これにより、前記キー取付具９１とカバーケース２との間に相対的な引離力が作用し、前記力伝達部材８２が引張られて前記回動板８１をバネ８４の付勢力に抗して回動させ、回動板８１により前記スイッチ６０ｇの押圧子６１ｇを押圧してオンさせ、前記発音体２１を鳴動させると同時に、発光部３１を点灯させて周囲を照明することができ、とっさの場合に極めて優れた防犯機能を発揮させることができる。
【産業上の利用可能性】
【００４１】
本考案は、上述したような通常のキーホルダーの他、車輛のキー用のキーホルダー、会社、倉庫、商店等の出入口の鍵に使用するキー用のキーホルダーとして幅広く適用可能であり、また、例えば周囲に人の少ないような時に行う仕事の時、登山時、農作業時等々において所持者に異常な事態が発生したような場合（登山時に熊等に遭遇したような場合）、所持者の周囲、周辺に救助を求めることが可能である等幅広く適用可能である。
【図面の簡単な説明】
【００４２】
【図１】本考案の実施例の多機能キーホルダーの正面図である。
【図２】本実施例の多機能キーホルダーの背面図である。
【図３】本実施例の側面図である。
【図４】本実施例の多機能キーホルダーの開状態の正面図である。
【図５】本実施例の多機能キーホルダーにおける内部ケースの正面図である。
【図６】本実施例の多機能キーホルダーにおける内部ケースの側面図である。
【図７】本実施例の多機能キーホルダーにおける内部ケースの背面図である。
【図８】本実施例の内部ケースの閉状態の斜視図である。
【図９】本実施例の内部ケースの開状態の斜視図である。
【図１０】本実施例の多機能キーホルダーにおける異常時動作機構部の概略構成図である。
【図１１】本実施例の電気回路系を示す概略ブロック図である。
【符号の説明】
【００４３】
１    多機能キーホルダー
２    カバーケース
２ａ  表片
２ｂ  背面片
２ｃ  側面片
２ｄ  側面片
２ｅ  受片
２ｆ  丸孔
２ｇ  丸孔
２ｈ  スライド長穴
３    長穴
４ａ  ホック突部
４ｂ  ホック凹部
１０    内部ケース
１１    キー収納部
１２ａ  第１の展開片
１２ｂ  第２の展開片
１２ｃ  第３の展開片
１３ａ  第１の折込片
１３ｂ  第２の折込片
１３ｃ  第３の折込片
１４    蓋片
１５ａ乃至１５ｃ  マイナスネジ
１６    切欠部
２１    発音体
３１    発光部
４０    回路ユニット
４１    電池
４２    点灯制御回路
６０ａ乃至６０ｇ  スイッチ
６１ａ乃至６１ｇ  押圧子
６２    抜穴
６３    長穴
６３ｂ  丸孔
６３ｃ  丸孔
７０    スイッチ
７１    スライド操作片
８０    異常時動作機構部
８１    回動板
８２    力伝達部材
８３    力伝達部材保持具
８４    バネ
８５    支持板
８６    支持軸
９０    弾性板
９１    キー取付具
１００    キー
【図１】
0003108317.tif 000003
【図２】
0003108317.tif 000004
【図３】
0003108317.tif 000005
【図４】
0003108317.tif 000006
【図５】
0003108317.tif 000007
【図６】
0003108317.tif 000008
【図７】
0003108317.tif 000009
【図８】
0003108317.tif 000010
【図９】
0003108317.tif 000011
【図１０】
0003108317.tif 000012
【図１１】
0003108317.tif 000013